(57)【要約】注射器使用後の使い捨て注射針を廃棄する際に針刺し事故が防止できる注射針包装容器を提供する。注射針１が収納された針ホルダー４０と、フィルムを成形してなり該針ホルダー４０が収容される凹部１５を複数有するブリスタートレー１４と、を有する注射針１包装容器である。注射針１の後端部に、注射器６の先端部が回転により接続される係合部が設けられ、注射針１の係合部が該針ホルダー４０に開口するよう注射針１が針ホルダー４０内に収納され、針ホルダー４０に注射針１の回転を阻止し得る第１の回転止め部４３が設けられ、ブリスタートレー１４の凹部１５に該針ホルダーの回転を阻止し得る第２の回転止め部１９が設けられている。
2013073122.tif 000002
【特許請求の範囲】
【請求項１】
注射針が収納された針ホルダーと、フィルムを成形してなり該針ホルダーが収容される凹部を複数有するブリスタートレーと、を有する注射針包装容器であって、該注射針の後端部に、注射器の先端部が回転により接続される係合部が設けられ、該注射針の係合部が該針ホルダーの開口部側に位置するよう該注射針が該針ホルダー内に収納され、該針ホルダーに注射針の回転を阻止し得る第１の回転止め部が設けられ、該ブリスタートレーの凹部に該針ホルダーの回転を阻止し得る第２の回転止め部が設けられている注射針包装容器。
【請求項２】
前記注射針の後端部に設けられた係合部が、前記注射器の先端部に形成されたルアーロック部と係合し得るフランジである請求項１に記載の注射針包装容器。
【請求項３】
前記ブリスタートレーの凹部に設けられた第２の回転止め部が、前記針ホルダーに設けられた突起部と係止し得る係合凹部である請求項１に記載の注射針包装容器。
【請求項４】
前記針ホルダーが、一端が開口する略円筒状に形成されたホルダー本体と、該ホルダー本体の開口端部側に形成されたフランジと、該フランジに剥離可能に接着された該ホルダー本体の開口部を閉塞し得るシール部材と、を有し、注射針が該針ホルダー内に滅菌状態で収納されている請求項１に記載の注射針包装容器。
【発明の詳細な説明】
【技術分野】
【０００１】
本発明は、使用後の注射器の注射針が誤って医師、看護士等の人体等に刺さる事故を防ぐことができる注射針包装容器に関する。
【背景技術】
【０００２】
病院等において、医師、看護士等（以下、「医師等」と言う。）は、患者に薬液を注射し、あるいは点滴を行うなどの治療を行っている。また、検査のために患者から採血を行うこともある。医師等が、患者に使用した注射器から注射針を取り外す場合に、誤って自分自身の指や手等に刺したり、注射針で皮膚を引っ掻くこともある。このような場合、患者が感染性疾患である場合には、使用済み注射針によって医師等が感染性疾病に感染するという危険がある。【０００３】
そこで、従来、プロテクター付きの注射針や、安全装置付き注射器、ツバ付き針管保護キャップ、注射針取り外し容器等が提案されている。【０００４】
例えば、特開２０００−１０２６１１号公報（特許文献１）には、針を保管するキャップに板状のタブを延設した保護キャップが提案されている。この保護キャップによれば、使用後の使い捨て注射針を針管保護キャップ内に収容する際には、指が開口部から十分隔離される状態に一方の指でタブを摘んで行うので、手元が狂って針先が開口部の外側にずれても、針先で指先を傷つける危険が回避される。【０００５】
また、実用新案登録第３０４００００号（特許文献２）には、注射針キャップの注射針の挿入口の周縁に着色が施されているとともに、注射針の挿入口近傍に針先止部材が備えられた注射針包装容器が提案されている。この注射針包装容器によれば、注射針包装容器に注射針を挿入する場合に、上記挿入口の周縁の着色が挿入の目安となり、挿入口に確実に注射針を挿入することができる。【０００６】
しかし、これらの装置においても、キャップを針先に被せる作業は慎重に行わなければならない。【０００７】
また、使用済みの注射針を廃棄するために、注射針廃棄箱を設置する場合に、設置場所が限られるという現状があり、さらにこの注射針廃棄箱は比較的高価格である。
【先行技術文献】
【特許文献】
【０００８】
【特許文献１】特開２０００−１０２６１１号公報
【特許文献２】実用新案登録第３０４００００号
【発明の概要】
【発明が解決しようとする課題】
【０００９】
本発明は上記課題を解決するためになされたもので、注射器使用後の使い捨て注射針を廃棄する際に針刺し事故が防止できる注射針包装容器を提供することを目的とする。【００１０】
本発明の他の目的は、比較的簡単な構造であり、かつ安価に注射針を廃棄できる注射針包装容器を提供することにある。
【課題を解決するための手段】
【００１１】
上記課題を解決するため、本発明は以下を特徴とする。
（項目１）注射針が収納された針ホルダーと、フィルムを成形してなり該針ホルダーが収容される凹部を複数有するブリスタートレーと、を有する注射針包装容器であって、該注射針の後端部に、注射器の先端部が回転により接続される係合部が設けられ、該注射針の係合部が該針ホルダーの開口部側に位置するよう該注射針が該針ホルダー内に収納され、該針ホルダーに注射針の回転を阻止し得る第１の回転止め部が設けられ、該ブリスタートレーの凹部に該針ホルダーの回転を阻止し得る第２の回転止め部が設けられている注射針包装容器。
（項目２）前記注射針の後端部に設けられた係合部が、前記注射器の先端部に形成されたルアーロック部と係合し得るフランジである項目１に記載の注射針包装容器。
（項目３）前記ブリスタートレーの凹部に設けられた第２の回転止め部が、前記針ホルダーに設けられた突起部と係止し得る係合凹部である項目１又は２に記載の注射針包装容器。
（項目４）前記針ホルダーが、一端が開口する略円筒状に形成されたホルダー本体と、該ホルダー本体の開口端部側に形成されたフランジと、該フランジに剥離可能に接着された該ホルダー本体の開口部を閉塞し得るシール部材と、を有し、注射針が該針ホルダー内に滅菌状態で収納されている項目１〜３のいずれかに記載の注射針包装容器。
【発明の効果】
【００１２】
本発明によれば、注射針の後端部に、注射器の先端部が回転により接続される係合部が設けられ、該注射針の係合部が該針ホルダーの開口部側に位置するよう該注射針が該針ホルダー内に収納され、針ホルダーに注射針の回転を阻止し得る第１の回転止め部が設けられ、ブリスタートレーの凹部に針ホルダーの回転を阻止し得る第２の回転止め部が設けられているので、注射針を使用するときは、注射器の先端部を注射針の係合部に係合させて回転させることで、注射器の先端に注射針を係合させ、この状態でブリスタートレーから注射針を引き抜く。【００１３】
使用後は、上記とは逆の操作で、注射器の先端に注射針を付けた状態で注射針をブリスタートレーに配置した針ホルダー内に収納し、注射器を逆方向へ回転させて注射針を注射器の先端より分離し、注射針をブリスタートレーの針ホルダー内に収容する。【００１４】
このようにすれば、使用後の注射針に医者等が直接接触することがなく、注射針を安全かつ簡単にトレー内に収めることができるため、注射針が医師等の指や手等を誤って刺すようなことがない。また、注射針を収容、保管するブリスタートレーを注射針の廃棄容器として利用するので、使用済みの注射器の廃棄を安全かつ簡単に行うことができる上に低価格でもある。【００１５】
さらに、本発明の注射針包装容器は、注射針が収納される針ホルダーと、フィルムを成形してなり、針ホルダーが収容される凹部を複数有するブリスタートレーとを有するので、注射針が収納された針ホルダーをブリスタートレーから取り出して、この針ホルダー内の注射針に注射器を上記と同様の操作により、接続することもできる。
【図面の簡単な説明】
【００１６】
【図１】本発明の注射針包装容器の概略断面図である。
【図２】図１に示す注射針包装容器の作用説明図である。
【図３】注射針を注射器の先端に取り付けた状態の断面図である。
【図４】注射針を収納する針ホルダーと注射器との関係を示す説明図である。
【図５】図１に示す注射針包装容器のブリスタートレーの平面図である。
【図６】図１に示す注射針包装容器のブリスタートレーの正面図である。
【図７】図１に示す注射針包装容器のブリスタートレーの側面図である。
【図８】針ホルダーの断面図である。
【図９】針ホルダーの先端部分の端面図である。
【図１０】他の実施例の注射針包装容器のブリスタートレーの要部平面図である。
【図１１】さらに他の実施例の注射針包装容器のブリスタートレーの要部平面図である。
【発明を実施するための形態】
【００１７】
以下、本発明の実施の形態について図面を参照しながら詳細に説明する。
【００１８】
図１および図２に示すように、本発明の注射針包装容器５は、注射針１が収納された針ホルダー４０と、フィルムを真空成形および/または圧空成形などで成形してなるブリスタートレー１４と、を有する。
【００１９】
該ブリスタートレー１４には、針ホルダー４０が収容される複数の凹部１５が形成され、該凹部１５の底部に針ホルダー４０の下端部を配置する下側凹部３０が設けられている。またブリスタートレー１４の周縁にフランジ１７が全周に亘って形成されている
図３および図４に示すように、注射器６は、注射器本体７と、該注射器本体７内に挿入されるプランジャ８と、注射器本体７の先端部に形成されたルアーロック部２０とを有する。ルアーロック部２０は、外筒２１と内筒２２とを有し、該外筒２１の内面にねじ２３が形成されている。
【００２０】
注射針１は、複数本の針１１が先端表面より突出する注射針本体１０有する。注射針本体１０は、先端部が閉塞されたほぼ円筒状に形成され、注射針本体１０の基端部に、上記ルアーロック部２０と係合し得るフランジ（係合部）１２が形成されている。この実施形態では、注射針１の表面部に設けられる複数の針１１は３本であるが、２本あるいは４本以上であってもよい。
【００２１】
なお、注射針本体１０は、ポリカーボネート、ポリプロピレン、ＡＢＳ樹脂、ポリスチレン等の熱可塑性樹脂を材料として、射出成形等により製造することができる。
【００２２】
図４および図８に示すように、注射針１を収容するための針ホルダー４０は、一端が開口する略円筒状に形成されたホルダー本体４１と、該ホルダー本体４１の開口側に形成されたフランジ４２と、を有する。ホルダー本体４１の内面には、軸方向に走る凹溝（スプライン）などの第１の回転止め部４３が形成されている。
【００２３】
この凹溝４３に嵌合するように、上記注射針１の外面に突部（図示せず）が形成されている。注射針１を針ホルダー４０内へ挿入した際には、この突部が針ホルダー４０の内面に形成した凹溝４３と嵌合して、注射針１を針ホルダー本体４０に対して回転することができない。
【００２４】
針ホルダー４０のフランジ４２に、針ホルダー４０の開口部を閉塞し得るシール部材４４が接着などにより取り付けられ、開口部をシールすることで針ホルダー４０内に収容された注射針１を無菌的に隔離している。シール部材４４を指などでフランジ４２から剥ぎ取ることにより、開口部を開放できる。
【００２５】
上記ブリスタートレー１４に設けられた各凹部１５内に、針ホルダー４０が、針の先端を底部側にした状態で配設されている。針ホルダー４０を該ブリスタートレー１４の凹部１５内に収納した際に、針ホルダー４０の回転を阻止し得る第２の回転止め部１９が、該ブリスタートレー１４の凹部１５に設けられている。
【００２６】
第２の回転止め部１９としては、例えば、図５に示すように、ブリスタートレー１４の凹部１５に形成した溝などの係合凹部１９であり得る。針ホルダー４０の先端に、この係合凹部１９に嵌合し得る突起部１３が複数形成されている。
【００２７】
ブリスタートレー１４の各凹部１５内に、針ホルダー４０を収納した際には、凹部１５内に収容された注射針１の後端部は凹部１５の外側を向く。
【００２８】
次に、本発明の経皮投薬装置５の使用方法を説明する。
【００２９】
注射針１は針ホルダー４０内に無菌的に保管され、各針ホルダー４０がブリスタートレー１４の凹部１５内に収容されている。
【００３０】
はじめに、針ホルダー４０のシール部材４４をフランジ４２から剥離し（図２）、次に、注射器６の先端に形成されたルアーロック部２０を、針ホルダー４０内に収容されている注射針１のフランジ１２に係合させ、この状態で注射器６を回転させる。
【００３１】
注射針１は針ホルダー４０に対して回転できず、また針ホルダー４０はブリスタートレー１４に対して回転できないので、注射器６のルアーロック部２０と注射針１のフランジ１２が係合する。係合状態で注射器６をブリスタートレー１４から引き抜くと、注射器６の先端部に注射針１が取り付けられた状態となる（図３）。
【００３２】
その後、通常の方法に従って、注射器６のプランジャ８を押圧操作することにより、注射器６内の薬液は注射針１の空間部２５内へ入り、さらに注射針１の各針１１を通して針１１の先端から押し出される。使用される薬液は、典型的には、薬剤を含有する溶液、ゲルまたは懸濁液である。使用可能な薬剤は、経皮的な投与に適さない薬剤以外であれば実質的に制限されない。
【００３３】
注射針１を使用した後は、注射器６の先端に注射針１が付いた状態で、注射針１をブリスタートレー１４の凹部１５内に配置された針ホルダー４０内へ挿入し、その後上記とは逆方向に注射器６を回転させることにより、注射器の先端から注射針１を分離させる。このようにして、使用済みの注射針１を針ホルダー４０内へ収容できると共に、注射器６を廃棄できる。
【００３４】
なお、注射器６に注射針１を取り付ける場合、針ホルダー４０をブリスタートレー１４から外した後に、別の場所などで、針ホルダー４０のシール部材４４をフランジ４２から剥離し、上記と同様の操作で、注射器６の先端に注射針１を取り付けるようにしてもよい。注射針１の使用後は、針ホルダー４０をブリスタートレー１４に戻した後、上記と同様の操作で、注射針１を針ホルダー４０内に収納して廃棄することができる。
【００３５】
なお、ブリスタートレー１４に形成した凹部１５および下側凹部３０の形状は針ホルダー４０の形状に合わせて適宜変更することができる。図１０に示すように、ブリスタートレー１４に形成した第２の回転止め部１９として、一対の対向する凹溝で形成してもよく、この場合針ホルダー４０の外面に凹溝と係合する突起部１３が形成されている。図１１に示すように、針ホルダー４０の断面形状を六角形状とした場合には、第２の回転止め部１９として断面形状が六角形の壁面としてもよい。また、凹部１５の断面形状は、その他に、長円形、楕円形、四角形等であってもよい。シール部材４４は、金属箔、樹脂フィルムなどからなるシール部材で構成してもよく、その形態は限定されない。
【産業上の利用可能性】
【００３６】
本発明の注射針包装容器は、注射針を保管するブリスタートレーを、注射針の廃棄用容器として利用することができる。
【符号の説明】
【００３７】
１    注射針
５    注射針包装容器
６    注射器
１０  注射針本体
１１  針
１４  ブリスタートレー
１５  ブリスタートレーの凹部
１９  第２の回転止め部
４３  第１の回転止め部
【図１】
2013073122.tif 000003
【図２】
2013073122.tif 000004
【図３】
2013073122.tif 000005
【図４】
2013073122.tif 000006
【図５】
2013073122.tif 000007
【図６】
2013073122.tif 000008
【図７】
2013073122.tif 000009
【図８】
2013073122.tif 000010
【図９】
2013073122.tif 000011
【図１０】
2013073122.tif 000012
【図１１】
2013073122.tif 000013
【国際調査報告】
2013073122.tif 000014
2013073122.tif 000015